(57)【要約】      （修正有）【課題】安定した衝撃吸収性能及び用紙揃え性能を発揮できるエンドフェンスを有する紙受け装置を、提供すること。【解決手段】排出口から排出された用紙２００の前縁２０１が衝突するエンドフェンス７４と、衝突して落下する用紙２００が積載される載置台７１と、を有する紙受け装置７において、エンドフェンス７４が、用紙２００の衝突による衝撃を吸収する衝撃吸収部７４１を、上部に有しており、衝撃吸収部７４１に衝突して落下する用紙２００の前縁２０１を規制する用紙揃え部７４２を、下部に有している、ことを特徴としている。【選択図】図１４
2019137533.tif 000002
【特許請求の範囲】
【請求項１】
排出口から排出された用紙の前縁が衝突するエンドフェンスと、衝突して落下する用紙が積載される載置台と、を有する紙受け装置において、
前記エンドフェンスが、
用紙の衝突による衝撃を吸収する衝撃吸収部を、上部に有しており、
前記衝撃吸収部に衝突して落下する用紙の前縁を規制する用紙揃え部を、下部に有している、
ことを特徴とする紙受け装置。
【請求項２】
前記載置台は、用紙の排出方向下流側が低くなるように傾斜している、
請求項１記載の紙受け装置。
【請求項３】
前記用紙揃え部は、前記載置台に対して、略垂直に設けられており、
前記衝撃吸収部は、前記用紙揃え部に対して、排出方向上流側に傾斜している、
請求項１又は２に記載の紙受け装置。
【請求項４】
前記衝撃吸収部及び前記用紙揃え部が、エンドフェンス基材の表面に１枚のシート部材を連ねて構成されている、
請求項１〜３のいずれか一つに記載の紙受け装置。
【請求項５】
前記シート部材は、衝撃吸収シートであり、
前記衝撃吸収部は、前記衝撃吸収シートの裏面側に、空間部を有している、
請求項４記載の紙受け装置。
【請求項６】
前記衝撃吸収部の前記衝撃吸収シートは、前記空間部の上と下とでエンドフェンス基材に、固定されている、
請求項５記載の紙受け装置。
【請求項７】
前記シート部材の表面が、保護シートで覆われている、
請求項４〜６のいずれか一つに記載の紙受け装置。
【請求項８】
前記エンドフェンスは、用紙が前記載置台に積載される際の用紙下方の空気を逃がすための開口部を、少なくとも前記用紙揃え部に、有している、
請求項１〜７のいずれか一つに記載の紙受け装置。
【請求項９】
前記エンドフェンスは、排出方向に対して直交した幅方向に沿って、右フレーム部、開口部、中央フレーム部、開口部、及び左フレーム部が並んで構成されており、
前記用紙揃え部の前記中央フレーム部の表面は、下方に行くにしたがって、前記右フレーム部及び前記左フレーム部の、表面よりも、排出方向下流側に位置している、
請求項８記載の紙受け装置。
【請求項１０】
前記排出口から排出された用紙の後縁を規制する後方規制部と、前記排出口から排出される用紙の排出方向を上向きに変える上向き変更部と、を有する突当て部材が、前記排出口の近傍に、設けられている、
請求項１〜９のいずれか一つに記載の紙受け装置。
【発明の詳細な説明】
【技術分野】
【０００１】
本発明は、孔版印刷機等のプリンタの紙受け装置に関する。
【背景技術】
【０００２】
排出口から排出された用紙の前縁が衝突するエンドフェンスを備えた紙受け装置は、例えば特許文献１〜３に示されるように、公知である。これらのエンドフェンスは、用紙の衝突による衝撃を緩和するための衝撃吸収部を、有しており、衝撃を緩和しながら用紙の前縁を規制して用紙を揃えることが求められている。
【先行技術文献】
【特許文献】
【０００３】
【特許文献１】特許第３７４６０９６号明細書
【特許文献２】特開平１１−２１７１５１号公報
【特許文献３】特許第３６９１３２５号明細書
【発明の概要】
【発明が解決しようとする課題】
【０００４】
しかしながら、特許文献１、２の紙受け装置では、排出された用紙が載置台に積載されて行くに従って、衝撃吸収性能及び用紙揃え性能が変化していき、良好に揃った紙受け状態を実現するのが困難であった。また、特許文献３の紙受け装置では、衝撃が緩和された用紙が下降していく際にエンドフェンス表面に引っ掛かる恐れがあった。
【０００５】
更に、プリンタにおいては、印刷速度の高速化が図られているため、排出された用紙は高速で飛翔してエンドフェンスに衝突する。それ故、エンドフェンスが高剛性な構造を有している場合には、大きな衝突音が発生し、更には、用紙が排出方向とは逆方向に大きく且つ不均一に跳ね返ることにより、載置台に積層される用紙が不揃いとなる、という不具合があった。
【０００６】
本発明は、安定した衝撃吸収性能及び用紙揃え性能を発揮でき、更には、用紙が高速で排出されても大きな衝突音が発生するのを防止でき、その結果、載置台に用紙を静粛に且つ良好に揃えて積層できる、紙受け装置を、提供することを目的としている。
【課題を解決するための手段】
【０００７】
本発明は、排出口から排出された用紙の前縁が衝突するエンドフェンスと、衝突して落下する用紙が積載される載置台と、を有する紙受け装置において、
前記エンドフェンスが、
用紙の衝突による衝撃を吸収する衝撃吸収部を、上部に有しており、
前記衝撃吸収部に衝突して落下する用紙の前縁を規制する用紙揃え部を、下部に有している、
ことを特徴としている。
【発明の効果】
【０００８】
本発明によれば、エンドフェンスが上部と下部とで機能を区分しているので、衝撃吸収部及び用紙揃え部の機能をそれぞれ適正に発揮できる。したがって、安定した衝撃吸収性能及び用紙揃え性能を発揮でき、その結果、載置台に用紙を静粛に且つ良好に揃えて積層できる。
【図面の簡単な説明】
【０００９】
【図１】本発明の紙受け装置を備えた孔版印刷機の一実施形態を示す縦断面略図である。
【図２】図１のII矢視図であり、排紙装置の一部及び紙受け装置を示している。
【図３】図２のIII矢視図である。
【図４】図２のIV矢視図である。
【図５】図２のＶ矢視図である。
【図６】図２のVI矢視図である。
【図７】両サイドフェンスの図示を省略した紙受け装置の側面図である。
【図８】図７の紙受け装置を排出方向の上流側から見た斜視図である。
【図９】図７の紙受け装置を排出方向の下流側から見た斜視図である。
【図１０】エンドフェンスの分解斜視図である。
【図１１】エンドフェンスの側面図である。
【図１２】排出された用紙が緩いＵ字状の形態を有していることを示す図である。
【図１３】排出された用紙の幅方向中央部が緩いＷ字状の形態を有していることを示す図である。
【図１４】エンドフェンスが第２種類の目盛りに基づいた位置に設置されている場合において用紙が排出されて積層されるまでの変遷を示す側面図である。
【図１５】エンドフェンスが第１種類の目盛りに基づいた位置に設置されている場合において用紙が排出されて積層されるまでの変遷を示す側面図である。
【発明を実施するための形態】
【００１０】
図１は、本発明の紙受け装置を備えた孔版印刷機の一実施形態を示す縦断面略図である。この孔版印刷機１０においては、孔版原紙１００が、ロール１１から供給され、製版装置２においてサーマルヘッド２１により加熱穿孔されることによって製版され、印刷装置３へ給版される。給版されてきた孔版原紙すなわち製版原紙１１０は、印刷ドラム３１に巻装される。一方、用紙２００が、給紙装置４によって印刷装置３へ給紙される。給紙装置４では、給紙ローラ４１と捌き部材４２とによって、用紙２００が１枚ずつレジストローラ４３へ搬送される。レジストローラ４３は、印刷ドラム３１の回転と同期タイミングで作動して、用紙２００を印刷装置３へ送り込む。そして、印刷装置３では、押圧手段であるプレスローラ３２によって用紙２００がローラ３３に押し付けられ、製版原紙１１０に基づいた印刷が行われる。印刷終了後、印刷された用紙２００は、排紙装置５によって排出され、排出された用紙２００は、紙受け装置７の載置台７１に積層されていく。一方、印刷に使用された製版原紙すなわち排版原紙１１０は、排版装置６によって印刷ドラム３１から剥ぎ取られて巻芯６３に巻き取られる。
【００１１】
［紙受け装置７］
図２は、図１のII矢視図であり、排紙装置５の一部及び紙受け装置７を示している。図３は、図２のIII矢視図である。図４は、図２のIV矢視図である。図５は、図２のＶ矢視図である。図６は、図２のVI矢視図である。紙受け装置７は、載置台７１、右サイドフェンス７２、左サイドフェンス７３、エンドフェンス７４、及び突当て部材７６を、備えている。
【００１２】
（載置台７１）
載置台７１は、排紙装置５の排出口５０（図１）の下方から排出方向Ｘに向けて低くなるように傾斜している。その傾斜角度α（図４）は、具体的には、水平に対して１０度が好ましい。また、載置台７１は、排出方向Ｘに対する直交方向すなわち幅方向Ｗにおいて、中央部が窪んだ形態を有している。
【００１３】
（サイドフェンス７２、７３）
右サイドフェンス７２は、載置台７１の右側に、排出方向Ｘに対して平行に、立設されている。右サイドフェンス７２は、縦リブ７２１が数本並設された基本構造を有しており、リブ間に開口部７２２を有している。右サイドフェンス７２の内面において、排出方向Ｘの上流側には、摩擦部７２５（図３）が上下に渡って設けられている。摩擦部７２５は、右サイドフェンス７２の内面よりも大きな摩擦係数を有している。摩擦部７２５は、例えば、ゴム部材で構成されてもよく、又は、多数の凹凸を表面に有する部材で構成されてもよい。
【００１４】
左サイドフェンス７３は、載置台７１の左側に、排出方向Ｘに対して平行に、立設されている。左サイドフェンス７３は、縦リブ７３１が数本並設された基本構造を有しており、リブ間に開口部７３２を有している。左サイドフェンス７３の内面において、排出方向Ｘの上流側には、摩擦部７３５が上下に渡って設けられている。摩擦部７３５は、左サイドフェンス７３の内面よりも大きな摩擦係数を有している。摩擦部７３５は、例えば、ゴム部材で構成されてもよく、又は、多数の凹凸を表面に有する部材で構成されてもよい。すなわち、左サイドフェンス７３は、右サイドフェンス７２に対して左右対称で同じ構造を有している。
【００１５】
右サイドフェンス７２は、排出方向Ｘに対して平行な状態を維持したまま、幅方向Ｗに延びたスライドレール７１１に沿って幅方向Ｗに移動可能になっている。左サイドフェンス７３は、排出方向Ｘに対して平行な状態を維持したまま、幅方向Ｗに延びたスライドレール７１２に沿って幅方向Ｗに移動可能になっている。したがって、両サイドフェンス７２、７３は、排出される用紙２００の幅寸法に合わせるように、配置できる。
【００１６】
（エンドフェンス７４）
そして、エンドフェンス７４は、次のような構成を有している。図７〜図９は、両サイドフェンス７２、７３の図示を省略した紙受け装置７を示しており、図７は側面図であり、図８は排出方向Ｘの上流側から見た斜視図であり、図９は排出方向Ｘの下流側から見た斜視図である。また、図１０は、エンドフェンス７４の分解斜視図であり、図１１はエンドフェンス７４の側面図である。
【００１７】
エンドフェンス７４は、上部と下部とに区分でき、上部に衝撃吸収部７４１を有しており、下部に用紙揃え部７４２を有している。衝撃吸収部７４１は、排出された用紙２００の前縁２０１の衝突による衝撃を吸収するよう機能するようになっている。用紙揃え部７４２は、衝撃吸収部７４１に衝突して落下する用紙２００の前縁２０１を規制するよう機能するようになっている。
【００１８】
用紙揃え部７４２は、載置台７１に対して略垂直に設けられている。衝撃吸収部７４１は、用紙揃え部７４２に対して排出方向Ｘの上流側に傾斜して設けられている。その傾斜角度β（図７）は、具体的には、用紙揃え部７４２に対して５度が好ましい。
【００１９】
エンドフェンス７４は、図１０に示されるように、エンドフェンス基材８１にシート部材８２を貼り付けて構成されている。具体的には、エンドフェンス７４は、右フレーム部７５１と中央フレーム部７５２と左フレーム部７５３とが幅方向Ｗに沿って並設された基本構造を、有しており、隣接するフレーム部の間に開口部７５４を有している。開口部７５４は、衝撃吸収部７４１及び用紙揃え部７４２に形成されている。
【００２０】
エンドフェンス基材８１は、右フレーム基材８１１と中央フレーム基材８１２と左フレーム基材８１３とが幅方向Ｗに沿って並設された基本構造を、有しており、隣接するフレーム基材の間に開口部７５４を有している。衝撃吸収部７４１のエンドフェンス基材８１の表面は、凹部８１４を有している。
【００２１】
シート部材８２は、右シート部８２１と中央シート部８２２と左シート部８２３とからなっている。エンドフェンス７４において、右フレーム部７５１は、右フレーム基材８１１の表面に右シート部８２１が貼り付けられて構成されており、中央フレーム部７５２は、中央フレーム基材８１２の表面に中央シート部８２２が貼り付けられて構成されており、左フレーム部７５３は、左フレーム基材８１３の表面に左シート部８２３が貼り付けられて構成されている。
【００２２】
但し、図１１に示されるように、エンドフェンス７４の右フレーム部７５１において、右シート部８２１の下部は、用紙揃え部７４２の右フレーム基材８１１の表面全面に貼り付けられているが、右シート部８２１の上部は、衝撃吸収部７４１の右フレーム基材８１１の凹部８１４の上縁８１４１と下縁８１４２とに貼り付けられている。中央フレーム部７５２においても、中央シート部８２２は、中央フレーム基材８１２に対して、同様に貼り付けられている。左フレーム部７５３においても、左シート部８２３は、左フレーム基材８１３に対して、同様に貼り付けられている。したがって、エンドフェンス７４において、衝撃吸収部７４１の裏面側には、凹部８１４からなる空間部が形成されている。また、衝撃吸収部７４１において、シート部材８２は、当該空間部の上と下とでエンドフェンス基材８１に、固定されている。
【００２３】
なお、各シート部８２１、８２２、８２３は、１枚のシートである。すなわち、エンドフェンス７４において、衝撃吸収部７４１及び用紙揃え部７４２は、エンドフェンス基材８１の表面に１枚のシート部材８２を連ねて構成されている。そして、シート部材８２は、衝撃吸収シートである。更に、シート部材８２の表面は、保護シート（図示せず）で覆われている。
【００２４】
エンドフェンス７４の用紙揃え部７４２において、図８に示されるように、中央フレーム部７５２の表面７５２１は、下方に行くにしたがって、右フレーム部７５１及び左フレーム部７５３の、表面７５１１、７５３１よりも、排出方向Ｘの下流側に位置している。
【００２５】
エンドフェンス７４は、幅方向Ｗに平行な状態を維持したまま、載置台７１の中央を排出方向Ｘに延びたスライドレール７１３に沿って排出方向Ｘに移動可能に設けられている。載置台７１の表面には、エンドフェンス７４の設置位置Ｓを示す第１種類及び第２種類の目盛り９１、９２が付されている。第１種類の目盛り９１は、排出口５０から位置Ｓまでの距離が排出された用紙２００の排出方向Ｘの長さと同じであることを示しており、第２種類の目盛り９２は、排出口５０から位置Ｓまでの距離が排出された用紙２００の排出方向Ｘの長さより少し長いことを示している。なお、第１種類の目盛り９１は、印刷速度がトップスピードよりも遅い速度に設定されている場合に、採用され、第２種類の目盛り９２は、印刷速度がトップスピードに設定されている場合に、採用されるのが、好ましい。何故なら、印刷速度が早い場合は、用紙２００の排出速度も速く、それ故に、エンドフェンス７４に衝突した用紙２００の跳ね返り距離が大きくなると予想されるからである。
【００２６】
（突当て部材７６）
突当て部材７６は、排出口５０の直下の、装置本体の壁面１０１に、設けられている。すなわち、突当て部材７６は、紙受け装置７の排出方向Ｘの最上流に、位置している。また、突当て部材７６は、排出口５０の幅方向の中央に、位置している。突当て部材７６は、排出口５０から排出された用紙２００の後縁２０４（図１）を規制する後方規制部７６１と、排出口５０から排出される用紙２００の排出方向を上向きに変える上向き変更部７６２と、を有している。具体的には、突当て部材７６は、３個の縦リブ７６０が間隔を置いて並設されて構成されている。各縦リブ７６０は、後方規制部７６１を構成する縦面７６１１と、上向き変更部７６２を構成する上面７６２１と、を有している。縦面７６１１は、エンドフェンス７４の用紙揃え部７４２に対して平行である。
【００２７】
［排紙装置５］
排紙装置５は、用紙２００を下方から吸引した状態で排出方向Ｘへ搬送する吸引搬送機構５２を、排出口５０に、有している。更に、排紙装置５は、吸引搬送機構５２の幅方向Ｗの両側に、外側に向けて漸次高くなるように傾斜したテーパ面部材５３１、５３２を、有している。テーパ面部材５３１、５３２は、排出方向Ｘに向けても漸次高くなるように傾斜している。
【００２８】
（作動）
印刷装置３によって印刷された用紙２００は、排紙装置５の吸引搬送機構５２によって排出口５０から排出される。この時、用紙２００は、両側のテーパ面部材５３１、５３２上を滑って行くので、図１２に示されるように、緩いＵ字状の形態を有することとなる。しかも、用紙２００は、突当て部材７６の３個の縦リブ７６０の上面７６２１を滑って行くので、図１３に示されるように、幅方向中央部が緩いＷ字状の形態を有することとなる。更に、用紙２００は、突当て部材７６の上向き変更部７６２を通過するので、図１４に示されるように、水平よりも上向きの方向に排出される。なお、図１２及び図１３は、図１４の用紙２００を矢印Ａ方向に見た図である。
【００２９】
図１４に示されるように、排出された用紙２００は、上向きに飛翔した後、少し落下して、前縁２０１がエンドフェンス７４の衝撃吸収部７４１に衝突する。なお、エンドフェンス７４は、第２種類の目盛り９２に基づいた位置に設定されている。衝撃吸収部７４１に衝突した用紙２００は、衝突による衝撃が衝撃吸収部７４１に吸収されるので、僅かだけ跳ね返った後に、落下して行く。落下して行く用紙２００は、前縁２０１が用紙揃え部７４２に接触して規制されるとともに、左右の両縁２０２、２０３（図１２、１３）が両サイドフェンス７２、７３に接触して規制される。そして、載置台７１まで落下した用紙２００は、載置台７１の傾斜に沿って排出方向Ｘへ滑る。これにより、用紙２００は、前縁２０１及び両縁２０２、２０３が規制された状態で、すなわち、揃えられた状態で、載置台７１上に積層される。
【００３０】
なお、エンドフェンス７４が第１種類の目盛り９１に基づいた位置に設定されている場合には、図１５に示されるように、用紙２００は、後縁２０４が突当て部材７６の後方規制部７６１に接触しながら、落下して行く。これにより、用紙２００は、前縁２０１、両縁２０２、２０３、及び後縁２０４が規制された状態で、すなわち、揃えられた状態で、載置台７１上に積層される。
【００３１】
（作用効果）
（１）エンドフェンス７４は、上部に衝撃吸収部７４１を有し、下部に用紙揃え部７４２を有しており、排出された用紙２００に対して、衝撃吸収部７４１によって衝突による衝撃を緩和した後、用紙揃え部７４２によって用紙揃えを行っている。すなわち、エンドフェンス７４は、上部と下部とで機能を区分している。また、仕様上、用紙２００の積層量は用紙揃え部７４２を越えないように設定されている。よって、衝撃吸収部７４１及び用紙揃え部７４２の機能はそれぞれ適正に発揮される。したがって、安定した衝撃吸収性能及び用紙揃え性能を発揮でき、その結果、載置台７１に用紙を良好に揃えて積層できる。
【００３２】
（２）衝撃吸収部７４１が、排出された用紙２００の衝突による衝撃を緩和できるので、次のような効果を発揮できる。
(2-1)衝突音を低減でき、静粛な作業を実現できる。
(2-2)用紙２００の跳ね返りを小さくできる。よって、排出された用紙２００が排出口５０まで戻ることによって用紙詰まりが発生するのを、防止できる。
【００３３】
（３）載置台７１が排出方向Ｘに向けて低くなるように傾斜しているので、載置台７１まで落下した用紙２００は、エンドフェンス７４に向けて滑る。よって、エンドフェンス７４が第２種類の目盛り９２に基づいた位置に設置されている場合でも、用紙２００の前縁２０１は、エンドフェンス７４によって規制され、したがって、支障なく用紙揃えを実現できる。なお、第２種類の目盛り９２は、印刷速度がトップスピードに設定されている場合に、好ましく採用されるので、その場合であっても、用紙揃えを実現できる。
【００３４】
（４）衝撃吸収部７４１が用紙揃え部７４２に対して排出方向Ｘの上流側に傾斜しているので、用紙２００が衝突する際の衝撃は、衝撃吸収部７４１に対して直角方向ではなく斜め方向に加わることとなる。それ故、衝撃吸収部７４１に加わる衝撃は、衝撃吸収部７４１が用紙揃え部７４２と同じく載置台７１に対して略垂直に設けられた場合に比して、弱くなる。よって、衝撃吸収部７４１は、より効果的に衝撃を緩和できる。したがって、上記（２）の作用効果をより有効に発揮できる。
【００３５】
（５）衝撃吸収部７４１及び用紙揃え部７４２が、エンドフェンス基材８１の表面に１枚のシート部材８２を連ねて構成されているので、落下して行く用紙２００の前縁２０１が引っ掛かることはない。よって、用紙２００を円滑に落下させることができる。したがって、用紙２００を載置台７１に安定して積層できる。
【００３６】
（６）衝撃吸収部７４１の裏面側には、凹部８１４からなる空間部が形成されているので、用紙２００の衝突による衝撃は当該空間部によっても緩和される。よって、衝撃吸収部７４１は、この点からも、より効果的に衝撃を緩和できる。したがって、上記（２）の作用効果をより有効に発揮できる。
【００３７】
（７）衝撃吸収部７４１において、シート部材８２は、凹部８１４からなる空間部の上と下とでエンドフェンス基材８１に、固定されているので、シート部材８２による衝撃吸収効果を良好に発揮できる。よって、衝撃吸収部７４１は、この点からも、より効果的に衝撃を緩和できる。したがって、上記（２）の作用効果をより有効に発揮できる。
【００３８】
（８）シート部材８２の表面が保護シートで覆われているので、衝撃吸収部７４１及び用紙揃え部７４２の表面が用紙２００との衝突や接触で損傷するのを、防止できる。したがって、安定した衝撃吸収性能及び用紙揃え性能を発揮できる。
【００３９】
（９）用紙２００が落下して行く際、用紙２００の下方の空気は、エンドフェンス７４の開口部７５４、更には両サイドフェンス７２、７３の開口部７２２、７３２を通って逃げていく。よって、用紙２００は円滑に落下して行く。したがって、用紙２００を載置台７１に円滑に積層できる。
【００４０】
（１０）エンドフェンス７４の用紙揃え部７４２において、中央フレーム部７５２の表面７５２１が、下方に行くにしたがって、右フレーム部７５１及び左フレーム部７５３の、表面７５１１、７５３１よりも、排出方向Ｘの下流側に位置しているので、落下して行く用紙２００の前縁２０１は中央フレーム部７５２には接触しなくなる。よって、落下して行く用紙２００の前縁２０１が用紙揃え部７４２に摩擦によって引っ掛かるのを、抑制できる。よって、用紙２００は安定して落下して行く。したがって、用紙２００を載置台７１に安定して積層できる。
【００４１】
（１１）排出された用紙２００は、図１２に示されるような緩いＵ字状の形態を有しているので、左右に揺れることなく、安定して落下して行く。したがって、用紙２００を載置台７１に安定して積層できる。
【００４２】
（１２）排出された用紙２００は、図１３に示されるように、幅方向中央部が緩いＷ字状の形態を有しているので、剛性を有することとなる。したがって、用紙２００が薄い場合でも、用紙２００は安定して落下して行く。よって、用紙２００が薄い場合でも、用紙２００を載置台７１に安定して積層できる。
【００４３】
（１３）用紙２００は、排出口５０から上向きに排出されるので、エンドフェンス７４が第２種類の目盛り９２に基づいた位置に設定されている場合でも、エンドフェンス７４まで確実に飛翔する。よって、用紙２００をエンドフェンス７４に確実に衝突させることができる。
【００４４】
（１４）両サイドフェンス７２、７３が摩擦部７２５、７３５を有しているので、用紙２００は、両縁２０２、２０３が少し遅れた状態で、すなわち、緩いＵ字状の形態を維持したまま、落下して行く。よって、用紙２００は安定して落下して行く。したがって、用紙２００を載置台７１に安定して積層できる。
【産業上の利用可能性】
【００４５】
本発明の紙受け装置は、安定した衝撃吸収性能及び用紙揃え性能を発揮できるエンドフェンスを有しているので、産業上の利用価値が大である。
【符号の説明】
【００４６】
２００  用紙  ２０１  前縁  ５０  排出口  ７  紙受け装置  ７１  載置台
７４  エンドフェンス  ７４１  衝撃吸収部  ７４２  用紙揃え部
７５１  右フレーム部  ７５２  中央フレーム部  ７５３  左フレーム部
７５１１、７５２１、７５３１  表面  ７５４  開口部  ７６  突当て部材
７６１  後方規制部  ７６２  上向き変更部  ８１  エンドフェンス基材
８２  シート部材
【図１】
2019137533.tif 000003
【図２】
2019137533.tif 000004
【図３】
2019137533.tif 000005
【図４】
2019137533.tif 000006
【図５】
2019137533.tif 000007
【図６】
2019137533.tif 000008
【図７】
2019137533.tif 000009
【図８】
2019137533.tif 000010
【図９】
2019137533.tif 000011
【図１０】
2019137533.tif 000012
【図１１】
2019137533.tif 000013
【図１２】
2019137533.tif 000014
【図１３】
2019137533.tif 000015
【図１４】
2019137533.tif 000016
【図１５】
2019137533.tif 000017